(57)【要約】【課題】光学フィルムの不良要素を検出するのに掛かる時間を低減することができ、また、多品種少量生産の構造において、光学フィルムの検査に掛かる時間を無くすことができる光学フィルム検査装置を提供する。【解決手段】相対向して離隔するように形成される一対の平面とその平面にそれぞれ形成された複数の噴射口とを備え、平面間に流入された光学フィルムの上下面に空気を噴射し光学フィルムを平らに維持させるクランピング部材と、前記光学フィルムに光を照射する照明部材と、光学フィルムから反射または透過する光を受光して光学フィルムの不良要素を撮影するカメラ部材とを備える。【選択図】    図１
2009092657.tif 000002
【特許請求の範囲】
【請求項１】
光学フィルムの不良要素を検出する光学フィルム検査装置であって、
相対向して離隔するように形成される一対の平面と、前記光学フィルムに空気を噴射するために、前記平面にそれぞれ形成された複数の噴射口とを備え、前記平面間に流入された光学フィルムの上下面に空気を噴射し、その光学フィルムを平らに維持させるクランピング部材と、
前記光学フィルムに光を照射する照明部材と、
前記光学フィルムから反射される、または前記光学フィルムを透過する光を受光して、前記光学フィルムの不良要素を撮影するカメラ部材と
を備えることを特徴とする光学フィルム検査装置。
【請求項２】
前記クランピング部材は、第１のクランプと、前記光学フィルムの進行方向に前記第１のクランプから離隔するように設置される第２のクランプとを備え、
前記平面は、前記第１のクランプに形成され、相対向して離隔するように形成される一対の第１の平面と、前記第２のクランプに形成され、相対向して離隔するように形成される一対の第２の平面とを備えることを特徴とする請求項１に記載の光学フィルム検査装置。
【請求項３】
各々の前記第１のクランプ及び前記第２のクランプは、前記光学フィルムの進行方向と平行な方向に往復動可能に設置されることを特徴とする請求項２に記載の光学フィルム検査装置。
【請求項４】
前記クランピング部材は、前記第１のクランプを往復動させる第１の水平移動手段と、前記第２のクランプを往復動させる第２の水平移動手段とをさらに備え、
各々の前記第１の水平移動手段及び前記第２の水平移動手段は、
駆動モータと、該駆動モータの回転力が伝達されて回転する従動軸と、該従動軸に同軸的に結合されて回転する水平移動カムと、前記第１のクランプまたは第２のクランプに連結されて、前記水平移動カムと接触して前記水平移動カムの回転力が伝達されて前記第１のクランプまたは第２のクランプを往復動させる水平移動カムフォロワーとを備えることを特徴とする請求項３に記載の光学フィルム検査装置。
【請求項５】
前記各々の第１の平面と前記第２の平面は、互いに離隔する方向または互いに接近する方向に往復動可能に設置されることを特徴とする請求項２に記載の光学フィルム検査装置。
【請求項６】
前記クランピング部材は、前記第１の平面を往復動させる第１の昇降手段と、前記第２の平面を往復動させる第２の昇降手段とをさらに備え、
各々の前記第１の昇降手段及び第２の昇降手段は、
駆動モータと、該駆動モータの回転力が伝達されて回転する従動軸と、該従動軸に同軸的に結合されて回転する昇降カムと、前記第１の平面または前記第２の平面にそれぞれ連結され、前記昇降カムと接触して前記昇降カムの回転力が伝達されて前記第１の平面または前記第２の平面を往復動させる一対の昇降カムフォロワーとを備えることを特徴とする請求項５に記載の光学フィルム検査装置。
【請求項７】
前記カメラ部材は、
前記光学フィルムの不良要素を撮影するために、前記光学フィルムの幅方向に一定間隔離隔するように配置される複数のカメラを備えることを特徴とする請求項１に記載の光学フィルム検査装置。
【請求項８】
前記カメラ部材が前記光学フィルムから反射される光を受光するように、
前記カメラ部材及び前記照明部材は、前記光学フィルムの上面の上側または前記光学フィルムの下面の下側に共に設置されることを特徴とする請求項１に記載の光学フィルム検査装置。
【請求項９】
前記カメラ部材が前記光学フィルムを透過する光を受光するように、
前記カメラ部材は、前記光学フィルムの上面の上側及び前記光学フィルムの下面の下側のいずれか一側に設置され、前記照明部材は、他の一側に設置されることを特徴とする請求項１に記載の光学フィルム検査装置。
【発明の詳細な説明】
【技術分野】
【０００１】
本発明は、光学フィルム検査装置に関し、より詳細には、光学フィルムの不良要素の検出時、光学フィルムの平坦度を確保するとともに、速い検査速度を実現することができる光学フィルム検査装置に関する。
【背景技術】
【０００２】
平板ディスプレイ産業に主に用いられる光学フィルムは、製造工程または取り扱い過程で不良が発生し、光学フィルムの不良は、ＬＣＤパネルやＰＤＰモジュールの不良を誘発する主な原因となる。このような不良を含んでいる光学フィルムの流出を防止するために、光学フィルムを製造する企業は検査工程を運用させており、作業者の目視検査及び映像（ビジョン）を用いた自動検査装置を使用した検査を併行している。一方、技術の発展にともない、作業者の目視検査を効果的に代替できる光学フィルムの自動検査装置の導入や適用が増えている傾向にある。
【０００３】
光学フィルムの検査方法は大別して２種類ある。１つは、連続した状態で生産される光学フィルムを切断する前に、ロール状態で検査するロール検査方法であり、他の１つは、光学フィルムを適正な大きさに切断した後、シート状態で検査するシート検査方法である。
【０００４】
シート状態の光学フィルムの検査は、光学フィルムの製造工程が完了した後に行う最終検査であって、製造工程において発生する様々な不良を検出しなければならないため、その光学フィルムの検査においては、映像（ビジョン）の獲得、例えば、照明部材やカメラなどを用いた正確な映像の獲得を行うことが、自動検査処理による不良品の流出防止の最も重要な技術課題である。様々な不良に対応するためには、不良の種類に応じて別個の映像獲得方法を適用しなければならず、適用された映像獲得方法に合わせた数の不良要素の映像獲得のための光学系を検査装備に設置しなければならない。
【０００５】
シート状態の光学フィルムを順次自動検査装備に投入すると、コンベヤー、ロールなどを用いて光学フィルムを移送させるようになり、移送途中、複数個の光学系を通過しつつ、各光学系が専担している光学フィルムの一定部分が含んでいる不良要素の映像を獲得するようになる。しかし、特定不良要素の場合、映像獲得条件が極めて厳しく、通常許容できる良好な水準のシワや屈曲を有している光学フィルムの場合にも映像獲得が不可能であって、一般的なコンベヤーやロール方式の移送方式を利用して光学フィルムを移送させることができない。
【０００６】
前記不良要素の映像獲得のために、光学フィルムの四隅をクランピング部材を用して１〜２ｍｍほど把持した（掴んだ）後、一定の圧力で引張る装置が開発され使用されている。しかし、従来の技術に係る光学フィルム検査装置は、光学フィルムを固定し、検査のために平らに維持するのに掛かる時間が長くなるという問題点がある。すなわち、光学フィルムをクランピング部材に供給し、正確な位置に光学フィルムを整列させた後、クランピング部材を用いて光学フィルムの四隅を同時にクランピングし、クランピングされた光学フィルムを同時に外側に引張った状態で光学フィルム及びクランピング部材が同時に移動する一連の工程に掛かる時間は、２０秒から、長い場合には６０秒ほどになり、全体の検査工程時間が増えるという問題点がある。
【０００７】
また、クランピング部材の組立状態及び加工状態によって映像獲得条件が変わるという問題点があり、検査の対象になる光学フィルムの種類に応じてクランピング部材の位置、クランピング部材の圧力、クランピング部材間の間隔、使用する空圧配管、光学フィルムをクランピングした後、引張る距離などの条件を全て再設定しなければならないという問題点がある。
【発明の開示】
【発明が解決しようとする課題】
【０００８】
本発明は、上記した従来の技術の問題を解決するために提案されたものであって、その目的は、光学フィルムの隅部を直接接触せずに、光学フィルムを一方向に進行させ、かつ、その光学フィルムを平らに維持させるために、光学フィルムの上下面に空気を噴射する非接触式クランピング部材を採用することによって、光学フィルムの不良要素を検出するのに掛かる時間を低減することができる光学フィルム検査装置を提供することにある。
【０００９】
また、検査される光学フィルムの種類が変更されても、クランピング部材の配置構造を再設定する必要がないため、多品種少量生産の構造において、光学フィルムの検査に掛かる時間を無くすことができる光学フィルム検査装置を提供することにある。
【課題を解決するための手段】
【００１０】
そこで、上記の目的を達成するための本発明の光学フィルム検査装置は、光学フィルムの不良要素を検出する光学フィルム検査装置であって、相対向して離隔するように形成される一対の平面と、前記光学フィルムに空気を噴射するために、前記平面にそれぞれ形成された複数の噴射口とを備え、前記平面間に流入された光学フィルムの上下面に空気を噴射し、その光学フィルムを平らに維持させるクランピング部材と、前記光学フィルムに光を照射する照明部材と、前記光学フィルムから反射される、または前記光学フィルムを透過する光を受光して、前記光学フィルムの不良要素を撮影するカメラ部材とを備えることを特徴とする。
【００１１】
本発明に係る光学フィルム検査装置において、望ましくは、前記クランピング部材は、第１のクランプと、前記光学フィルムの進行方向に前記第１のクランプから離隔するように設置される第２のクランプとを備え、前記平面は、前記第１のクランプに形成され、相対向して離隔するように形成される一対の第１の平面と、前記第２のクランプに形成され、相対向して離隔するように形成される一対の第２の平面とを備える。
【００１２】
本発明に係る光学フィルム検査装置において、望ましくは、各々の前記第１のクランプ及び前記第２のクランプは、前記光学フィルムの進行方向と平行な方向に往復動可能に設置される。
【００１３】
本発明に係る光学フィルム検査装置において、望ましくは、前記クランピング部材は、前記第１のクランプを往復動させる第１の水平移動手段と、前記第２のクランプを往復動させる第２の水平移動手段とをさらに備え、各々の前記第１の水平移動手段及び前記第２の水平移動手段は、駆動モータと、該駆動モータの回転力が伝達されて回転する従動軸と、該従動軸に同軸的に結合されて回転する水平移動カムと、前記第１のクランプまたは第２のクランプに連結され、前記水平移動カムと接触して前記水平移動カムの回転力が伝達されて前記第１のクランプまたは第２のクランプを往復動させる水平移動カムフォロワーとを備える。
【００１４】
本発明に係る光学フィルム検査装置において、望ましくは、各々の前記第１の平面及び前記第２の平面は、互いに離隔する方向または互いに接近する方向に往復動可能に設置される。
【００１５】
本発明に係る光学フィルム検査装置において、望ましくは、前記クランピング部材は、前記第１の平面を往復動させる第１の昇降手段と、前記第２の平面を往復動させる第２の昇降手段とをさらに備え、各々の前記第１の昇降手段及び第２の昇降手段は、駆動モータと、該駆動モータの回転力が伝達されて回転する従動軸と、該従動軸に同軸的に結合されて回転する昇降カムと、前記第１の平面または前記第２の平面にそれぞれ連結され、前記昇降カムと接触して前記昇降カムの回転力が伝達されて前記第１の平面または前記第２の平面を往復動させる一対の昇降カムフォロワーとを備える。
【００１６】
本発明に係る光学フィルム検査装置において、望ましくは、前記カメラ部材は、前記光学フィルムの不良要素を撮影するために、前記光学フィルムの幅方向に一定間隔離隔するように配置される複数のカメラを備える。
【００１７】
本発明に係る光学フィルム検査装置において、望ましくは、前記カメラ部材が前記光学フィルムから反射される光を受光するように、前記カメラ部材及び前記照明部材は、前記光学フィルムの上面の上側または前記光学フィルムの下面の下側に共に設置される。
【００１８】
本発明に係る光学フィルム検査装置において、望ましくは、前記カメラ部材が前記光学フィルムを透過する光を受光するように、前記カメラ部材は、前記光学フィルムの上面の上側及び前記光学フィルムの下面の下側のいずれか一側に設置され、前記照明部材は、他の一側に設置される。
【発明を実施するための最良の形態】
【００１９】
以下、本発明に係る光学フィルム検査装置の好ましい実施形態を添付された図面を参照して詳しく説明する。
【００２０】
図１は、本発明の一実施形態に係る光学フィルム検査装置の概略的な正面図であり、図２は、図１の光学フィルム検査装置の部分斜視図であり、図３は、図１の光学フィルム検査装置の第１、第２の水平移動手段及び第１、第２の昇降手段の部分を拡大した斜視図である。
【００２１】
図１ないし図３に示すように、本実施形態の光学フィルム検査装置は、光学フィルム１の検査の際、光学フィルム１の上下面に向かって空気を噴射しつつ、その光学フィルムを平らに維持できるものであって、検査部と、供給部と、排出部とを備える。
【００２２】
前記供給部は、光学フィルム１の不良要素を検出する検査部に光学フィルム１を供給するためのものであって、まだ検査されていない光学フィルム１を積載するローダ部（図示せず）と、該ローダ部から排出された光学フィルム１を移送する供給コンベヤー１１と、該供給コンベヤー１１から供給された光学フィルム１を検査部の方に移送する供給ローラ１２とを備える。前記供給ローラ１２は、光学フィルム１の上下面側にそれぞれ１つずつ設置され、前記光学フィルム１は、前記供給ローラ１２と摩擦して、その供給ローラ１２の回転力が伝達されて一方向に沿って移送される。
【００２３】
前記排出部は、検査が完了した光学フィルム１を前記検査部から排出するためのものであって、検査が完了した光学フィルム１を前記検査部から排出する排出ローラ２２と、該排出ローラ２２から排出された光学フィルム１を移送する排出コンベヤー２１と、検査が完了した光学フィルム１を積載するアンローダ部（図示せず）とを備える。前記排出ローラ２２も前記供給ローラ１２と同様に、光学フィルム１の上下面側にそれぞれ１つずつ設置され、前記光学フィルム１は、前記排出ローラ２２と接触して、その排出ローラ２２の回転力が伝達されて光学フィルムの進行方向Ａに沿って移送される。
【００２４】
前記検査部は、光学フィルム１の不良要素を検出するためのものであって、クランピング部材と、照明部材３１と、カメラ部材３２とを備える。
【００２５】
前記クランピング部材は、相対向して離隔するように形成された一対の平面間に流入された光学フィルム１の上下面に空気を噴射し、その光学フィルム１を平らに維持させるためのものであって、第１のクランプ４１と、第２のクランプ５１と、第１の水平移動手段と、第２の水平移動手段と、第１の昇降手段と、第２の昇降手段とを備える。
【００２６】
前記第１のクランプ４１は、前記光学フィルムの進行方向Ａに前記供給ローラ１２から離隔するように設置されて、相対向して離隔するように形成された一対の第１の平面４２と、前記光学フィルム１に空気を噴射するために、前記第１の平面４２にそれぞれ形成された複数の噴射口４３とを備える。
【００２７】
前記第２のクランプ５１は、前記光学フィルムの進行方向Ａに前記第１のクランプ４１から離隔するように設置されて、相対向して離隔するように形成された一対の第２の平面５２と、前記光学フィルム１に空気を噴射するために、前記第２の平面５２にそれぞれ形成された複数の噴射口５３とを備える。
【００２８】
前記第１の水平移動手段は、前記第１のクランプ４１を前記光学フィルムの進行方向Ａと平行な方向に往復動させるためのものであって、駆動モータ６１と、該駆動モータ６１の回転力が伝達されて回転する従動軸６２と、前記駆動モータ６１の回転軸及び前記従動軸６２に巻き掛けられるベルト６５とを備える。また、前記第１の水平移動手段は、前記従動軸６２に同軸的に結合されて回転する水平移動カム６３を備え、前記第１のクランプ４１に連結され、前記水平移動カム６３と接触して前記水平移動カム６３の回転力が伝達される水平移動カムフォロワー６４を備える。本実施形態において、前記水平移動カムフォロワー６４はローラで構成される。
【００２９】
前記水平移動カム６３が回転すると、水平移動カム６３の側面の屈曲の形状に沿って前記水平移動カムフォロワー６４は前記光学フィルムの進行方向Ａと平行な方向に往復動するが、前記第１のクランプ４１と前記水平移動カムフォロワー６４とは、その下部において直線運動ガイド６６により結合される。したがって、前記水平移動カムフォロワー６４の往復動は、前記第１のクランプ４１側にそのまま伝達される。
【００３０】
前記第２の水平移動手段は、前記第２のクランプ５１を前記光学フィルムの進行方向Ａと平行な方向に往復動させるためのものであって、第１の水平移動手段と同様に、駆動モータ６１と、該駆動モータ６１の回転力が伝達されて回転する従動軸６２と、前記駆動モータ６１の回転軸と前記従動軸６２に巻き掛けられるベルト６５とを備える。また、前記第２の水平移動手段は、前記従動軸６２に同軸的に結合されて回転する水平移動カム６３を備え、前記第２のクランプ５１に連結され、前記水平移動カム６３と接触して前記水平移動カム６３の回転力が伝達される水平移動カムフォロワー６４を備える。
【００３１】
前記第１の昇降手段は、前記第１の平面４２を互いに離隔する方向Ｃまたは互いに接近する方向Ｄに往復動させるためのものであって、駆動モータ６１と、該駆動モータ６１の回転力が伝達されて回転する従動軸６２と、前記駆動モータ６１の回転軸及び前記従動軸６２に巻き掛けられるベルト６５とを備える。本実施形態において、前記第１の昇降手段の駆動モータ６１、従動軸６２、及びベルト６５は、第１の水平移動手段の駆動モータ６１、従動軸６２、及びベルト６５と同じものである。また、前記第１の昇降手段は、前記従動軸６２に同軸的に結合されて回転する昇降カム７３を備え、前記第１の平面４２にそれぞれ連結され、前記昇降カム７３と接触して前記昇降カム７３の回転力が伝達される一対の昇降カムフォロワー７４を備える。本実施形態において、前記昇降カムフォロワー７４のそれぞれはローラで構成される。
【００３２】
前記昇降カム７３が回転すると、昇降カム７３の側面の屈曲の形状に沿って前記昇降カムフォロワー７４のそれぞれは互いに離隔する方向Ｃまたは互いに接近する方向Ｄに往復動するが、前記第１の平面４２のうち、上側に配置された１つと前記昇降カムフォロワー７４のうち、上側に配置された１つとは、直線運動ガイド７６によって連結され、前記第１の平面４２のうち、下側に配置された１つと前記昇降カムフォロワー７４のうち、下側に配置された１つとはやはり直線運動ガイド７６によって連結される。したがって、前記昇降カムフォロワー７４の往復動は、前記第１の平面４２側にそのまま伝達される。
【００３３】
前記第２の昇降手段は、前記第２の平面５２を互いに離隔する方向または互いに接近する方向に往復動させるためのものであって、駆動モータ６１と、該駆動モータ６１の回転力が伝達されて回転する従動軸６２と、前記駆動モータ６１の回転軸及び前記従動軸６２に巻き掛けられるベルト６５とを備える。本実施形態において、前記第２の昇降手段の駆動モータ６１、従動軸６２、及びベルト６５は、第２の水平移動手段の駆動モータ６１、従動軸６２、及びベルト６５と同じものである。また、前記第２の昇降手段は、前記従動軸６２に同軸的に結合されて回転する昇降カム７３を備え、前記第２の平面５２にそれぞれ連結され、前記昇降カム７３と接触して前記昇降カム７３の回転力が伝達される一対の昇降カムフォロワー７４を備える。
【００３４】
前記照明部材３１は、前記光学フィルム１に光を照射するためのものであって、本実施形態では、光学フィルム１の上面の上側に設置されて、前記光学フィルム１側に一定の角度傾斜した光を照射する。
【００３５】
前記カメラ部材３２は、前記光学フィルム１から反射される、または前記光学フィルム１を透過する光を受光して、前記光学フィルム１の不良要素を撮影するためのものであって、前記光学フィルム１の幅方向に一定間隔離隔するように複数個が配置される。光学フィルム１が大型化されるにつれて、１つのカメラ部材３２で光学フィルム１の幅方向の全体を撮影することが不可能であるため、光学フィルム１の幅方向にカメラ部材３２の視野範囲ＦＯＶ（Ｆｉｅｌｄ  Ｏｆ  Ｖｉｅｗ）に合わせて、その光学フィルム１を複数の領域に分割し、複数のカメラ部材３２を用いて同時に撮影する。これによって、速い速度で移送される光学フィルム１を、その幅方向に全体的に撮影することが可能である。
【００３６】
本実施形態のカメラ部材３２は、前記照明部材３１が設置された側と同様に光学フィルム１の上面の上側に設置され、前記照明部材３１から照射された光が光学フィルム１の上面によって反射されると、その反射された光を受光する構造で配置される。
【００３７】
次には、上述したように構成された本実施形態に係る光学フィルム検査装置を用いて光学フィルム１を検査する作動順序について、図４ないし図８を参照して概略的に説明する。
【００３８】
まず、図４は、光学フィルム１が第１のクランプ４１に進入する前の段階を示した図である。前記供給コンベヤー１１及び供給ローラ１２によって移送された光学フィルム１が第１のクランプ４１に容易に進入するために、第１の昇降手段及び第２の昇降手段を用いて第１の平面４２と第２の平面５２をそれぞれ互いに離隔した方向Ｃに移動させる。また、第１のクランプ４１を通過した光学フィルム１の先端部が、第２のクランプ５１に容易に進入するために、第２の水平移動手段を用いて光学フィルムの進行方向の反対方向Ｂに、すなわち、第１のクランプ４１側に第２のクランプ５１を移動させ、第２のクランプ５１の先端部を第１のクランプ４１の後端部に近接して配置させる。このとき、第１のクランプ４１及び第２のクランプ５１の内部に空気を注入しない。
【００３９】
その後、光学フィルム１の先端部が第１のクランプ４１に進入すると、図５に示すように、第１の平面４２間に進入した光学フィルム１を平らに維持するために、第１の昇降手段を用いて第１の平面４２を互いに接近する方向Ｄに移動させる。空気の噴射力を、光学フィルム１を平らに維持するための張力に効果的に変換するには、光学フィルム１が進入した第１の平面４２間の間隔が狭いほど有利である。次に、第１のクランプ４１の内部に空気を注入して第１の平面４２に形成された噴射口４３を介して空気が噴射されるようにする。このとき、光学フィルム１の先端部が第２のクランプ５１に進入する前には、第２のクランプ５１の先端部を第１のクランプ４１の後端部に近接して維持させる。
【００４０】
次いで、光学フィルム１の先端部が第２のクランプ５１に進入すると、図６に示すように、第２の平面５２間に進入した光学フィルム１を平らに維持するために、第２の昇降手段を用いて第２の平面５２を互いに接近する方向Ｄに移動させる。次に、第２のクランプ５１の内部に空気を注入し、第２の平面５２に形成された噴射口５３を介して空気が噴射されるようにする。そして、光学フィルム１の先端部が第２のクランプ５１に進入すると、光学フィルム１の進行速度に合わせて光学フィルムの進行方向Ａに沿って第２のクランプ５１を移動させる。
【００４１】
前記の状態を維持した状態で、光学フィルムの進行方向Ａに沿って光学フィルム１を移送させつつ、光学フィルム１の不良要素を全体的に検出する。光学フィルム１は、速い速度で進行し、光学フィルム１の上下面上に噴射される空気によって光学フィルム１が平らに広がった状態に維持され、かつ、光学フィルム１についての検査が行われる。
【００４２】
光学フィルム１が進行しながら光学フィルム１の後端部が第１のクランプ４１の後端部を抜け出る瞬間、図７に示すように、第１の水平移動手段を用いて光学フィルム１の進行速度に合わせて、光学フィルムの進行方向Ａに沿って第１のクランプ４１を第２のクランプ５１に近接して移動させる。これは、光学フィルム１の後端部の平らを引続き維持するためである。次に、光学フィルム１の後端部が第１のクランプ４１の後端部を抜け出ると、第１のクランプ４１の内部に空気を注入することを停止する。
【００４３】
次いで、光学フィルム１の後端部が第２のクランプ５１の後端部を完全に抜け出ると、図８に示すように、第１の平面４２及び第２の平面５２はそれぞれ第１の昇降手段及び第２の昇降手段によって互いに離隔した方向Ｃに移動され、第１のクランプ４１及び第２のクランプ５１の内部への空気の注入が中断される。また、今後検査が行われる光学フィルム１の供給を受けるために、第１の水平手段を用いて光学フィルムの進行方向の反対方向Ｂに第１のクランプ４１を移動させて待機状態を維持する。
【００４４】
上述したように構成された本実施形態に係る光学フィルム検査装置は、光学フィルムを平らに維持させるために、光学フィルムの隅部を直接接触する方式を利用せずに、光学フィルムを一方向に移送する状態で光学フィルムの上下面に空気を噴射しつつ、光学フィルムを平らに維持させることができるクランピング部材を採用することにより、光学フィルムの不良要素を検出するのに掛かる時間を顕著に低減することができるという効果を得ることができる。
【００４５】
また、非接触式方式を利用することにより、検査される光学フィルムの種類が変更されてもクランピング部材の配置構造を再設定する必要がないので、基板の変更による装置の再設定に掛かる時間を無くすことができるという効果を得ることができる。
【００４６】
なお、第１のクランプ及び第２のクランプが光学フィルムの進行方向と平行な方向に移動可能なように設置されるので、光学フィルムの先端部及び後端部でも光学フィルムを平らに維持することができ、光学フィルムの先端部及び後端部の不良要素に対して有効な映像を獲得することができるという効果を得ることができる。
【００４７】
さらに、光学フィルムと対向する第１の平面及び第２の平面が互いに離隔する方向または互いに接近する方向に移動可能なように設置されるので、光学フィルムの先端部の進入を容易にし、空気の噴射力を、光学フィルムを平らに広げる張力に効果的に変換することができるという効果を得ることができる。
【００４８】
上述した本発明の実施形態において、前記カメラ部材が前記光学フィルムから反射される光を受光する構造で配置されているが、光学フィルムの材質または光学フィルムに含まれた不良要素の種類に応じて、前記カメラ部材が前記光学フィルムを透過する光を受光するように、前記カメラ部材及び前記照明部材が配置され得る。すなわち、図９に示すように、前記カメラ部材は、前記光学フィルムの上面の上側に設置され、前記照明部材は、照射された光が光学フィルムを透過してカメラ部材に入射されるように、カメラ部材と一直線上に配置された状態で前記光学フィルムの下面の下側に設置され得る。また、前記カメラ部材及び前記照明部材は、前記と反対に配置されても関係ない。
【００４９】
本発明の権利範囲は、上述した実施形態に限定されるものではなく、添付された特許請求の範囲内で様々な形の実施形態で実現され得る。特許請求の範囲で請求する本発明の要旨を逸脱することなく、当該発明の属する技術分野における通常の知識を有した者であれば、誰でも変形可能な多様な範囲まで本発明の請求範囲の記載の範囲内にあるものとみなす。
【図面の簡単な説明】
【００５０】
【図１】図１は、本発明の一実施形態に係る光学フィルム検査装置の概略的な正面図である。
【図２】図２は、図１の光学フィルム検査装置の部分斜視図である。
【図３】図３は、図１の光学フィルム検査装置の第１、第２の水平移動手段及び第１、第２の昇降手段の部分を拡大した斜視図である。
【図４】図４は、光学フィルムが第１のクランプに進入する前の段階を示した図である。
【図５】図５は、光学フィルムが第２のクランプに進入する前の段階を示した図である。
【図６】図６は、光学フィルムを検査する段階を示した図である。
【図７】図７は、光学フィルムの検査の完了及び光学フィルムが第１のクランプから排出される段階を示した図である。
【図８】図８は、光学フィルムが第２のクランプから排出される段階を示した図である。
【図９】図９は、カメラ部材が光学フィルムを透過する光を受光するように、カメラ部材は光学フィルムの上面の上側に、照明部材は光学フィルムの下面の下側に設置されたものを示した図である。
【符号の説明】
【００５１】
１          光学フィルム
１１        供給コンベヤー
１２        供給ローラ
２１        排出コンベヤー
２２        排出ローラ
３１        照明部材
３２        カメラ部材
４１        第１のクランプ
４２        第１の平面
４３、５３  噴射口
５１        第２のクランプ
５２        第２の平面
６１        駆動モータ
６２        従動軸
６３        水平移動カム
６４        水平移動カムフォロワー
７３        昇降カム
７４        昇降カムフォロワー
【図１】
2009092657.tif 000003
【図２】
2009092657.tif 000004
【図３】
2009092657.tif 000005
【図４】
2009092657.tif 000006
【図５】
2009092657.tif 000007
【図６】
2009092657.tif 000008
【図７】
2009092657.tif 000009
【図８】
2009092657.tif 000010
【図９】
2009092657.tif 000011